(57)【要約】      （修正有）【課題】コンセントの接地端子に接地線が接続されているか否かを，日常的に，煩わしいことなく，しかも施工時などにおいて商用電源の必要なく，コンセントにプラグを差込む側から見えやすい位置で確認することができ，接地の系統に不具合が予想される場合，故障点の把握や原因の切り分けを迅速に行うことができる接地極付コンセントを提供すること。【解決手段】コンセント１の筐体内部には，接地線が接地端子に接続されているか否かを判別し，判別信号を出力する接地線接続状態判別手段と，前記接地線接続状態判別手段と接続されて，出力された判別信号に応じて，識別部の視認状態を変化させる判別状態識別部３１とを有し，前記判別状態識別部を，造営材４０に対して，差込みプラグ２が差込まれる側から識別可能に配置して，判別状態の識別をコンセントに差込みプラグを差込む側の外部から行えるようにしたことを特徴としてコンセントを提供した。【選択図】図１
2010205568.tif 000002
【特許請求の範囲】
【請求項１】
造営材に固定され，
差込プラグを接続する接地極付のコンセントであって，
コンセントの筐体内部には，
前記接地極を構成する接地線を接続するための接地端子と
前記接地端子と電気的に接続される電気機器のアース線を接続するためのアースターミナルと，
差込プラグが差込まれるプラグ受とを備えるとともに，
前記接地線が接地端子に接続されているか否かを判別し，判別信号を出力する接地線接続状態判別手段と，
前記接地線接続状態判別手段と接続されて，出力された判別信号に応じて，識別部の視認状態を変化させる判別状態識別部とを有し，
前記判別状態識別部を，造営材に対して，差込みプラグが差込まれる側から識別可能に配置して，
判別状態の識別をコンセントに差込みプラグを差込む側の外部から行えるようにしたことを特徴とする接地極付のコンセント。
【請求項２】
前記判別状態識別部は，コンセントを造営材に固定するための取付枠に設けて，
判別状態の識別を差込みプラグを差込む側から行えるようにしたことを特徴とする請求項１記載の接地極付のコンセント。
【請求項３】
前記判別態識別部は，コンセントを造営材に固定するときに設けられる埋込孔の周囲を囲むように前記取付枠に固定されるプレート枠に設けて，
判別状態の識別を差込みプラグを差込む側から行えるようにしたことを特徴とする請求項１記載の接地極付のコンセント。
【請求項４】
前記判別状態識別部は，前記プレート枠に対して造営材と反対側に前記プレート枠に取付られる化粧パネルに設けて，
判別状態の識別を差込みプラグを差込む側から行えるようにしたことを特徴とする請求項１記載の接地極付のコンセント。
【請求項５】
造営材に対して，コンセントの差込プラグを差込む面を前面，接地線を接続する面を背面としたとき，前記取付枠，プレート枠，化粧パネルにおける前記判別状態識別部の前方部分に孔部もしくは透光部を設けて，
前記判別状態識別部が差込みプラグを差込む側の外部から視認可能なように構成したことを特徴とする請求項２乃至請求項４の内何れか１項記載の接地極付のコンセント。
【請求項６】
前記接地線接続状態判別手段と判別状態識別部とに，それぞれ無線通信手段を設けて，前記接地線接続状態判別手段と判別状態識別部との間の通信は無線にて行われ，前記判別状態識別部が差込みプラグを差込む側の外部から視認可能なように構成したことを特徴とする請求項１乃至請求項５記載の内何れか１項記載の接地極付のコンセント。
【発明の詳細な説明】
【技術分野】
【０００１】
本発明は，コンセントに関するものである。特に，本発明は，接地極を有し，前記接地極に接地線が正常に接続されているか否かを判別することができる接地極付のコンセントに関するものである。
【背景技術】
【０００２】
第９図は，特許文献１（第１図）に示された端子装置の例である。特許文献１の発明は，従来からスイッチやコンセントのような配線器具においては，前記配線器具に接続する電線の接続完了表示を行うものがあったが，その表示部位が見えない状況下で施工する際には接続完了表示が確認できないものであったことに鑑み，電線の接続完了表示を，視覚的のみならず聴覚的にも確認できることを目的として成されたものである。
【０００３】
第１０図は，特許文献２（第１図）に示された接地極付きコンセントの極性チェック装置である。特許文献２の発明には，接地極が接地されているか，接続間違いがないかをチェックする装置が開示されている。前記装置は，親器と子器を組み合わせて使用するものである。親器には零相またはコンセントの接地線に流れる電流を検出する電流検出手段を設けて構成し，子器をチェック対象となるコンセントに接続して，子器側からコンセントの電圧極と接地極にそれぞれ電流を流すことで，親器側にて，子器から電流を流した極に応じて，前記電流検出手段が電流を検出したか否かに基づいて，接地極が接地されているか，接続間違いがないかチェックするものである。
【先行技術文献】
【特許文献】
【０００４】
【特許文献１】特開２００６−０１２６３４号
【特許文献２】特開２００６−３８７０７号
【発明の概要】
【発明が解決しようとする課題】
【０００５】
ところで，前述の特許文献１のような電線を接続したことを表示する装置は，通常，コンセントの接地端子側，即ちコンセントが取り付けられる造営材に対してプラグが差込まれる部分とは反対側で，コンセントの施工時において施工業者によって接地線が接続される面に設けられている。このため，施工業者が配線を接続する施工時においては，接地線が接続されているか否かはコンセントの裏面を確認することで行え，また，表示部位が見えない状況下においては聴覚的に接続完了表示を行うことができるが，施工後において，接地端子に接地線が接続されているか否かを確認しようとすると，コンセントを造営材から取り外したうえ背面を見ることで確認したり，電圧相と接地相の間にネオンランプなどを接続して，アースターミナルが接地線と電気的に接続されているか否かを確認する必要があり，日常的に手軽に接地の確認を行うものではなかった。
【０００６】
また，施工完了後において，商用電源を供給する前に，配線の接続確認を行う必要があるが，そのような場合にはコンセントの前面側から視覚的に確認を行うことはできず，基本的に，造営材にコンセントを取り付けた後は視認するだけでは接地端子に接地線が接続されているか否かの確認は行うことができないものであった。
【０００７】
また，前述の特許文献２のような親器と子器を組み合わせて使用するものに当たっては，コンセントに接続される接地線に電流検出手段を設置し，子器をコンセントに接続したうえで，電圧極と接地極のそれぞれに電流を流すことで，接地極が接地されているか否かをチェックする必要があり，前述と同様，日常的に手軽に接地の確認を行うようなものではなかった。
【０００８】
また，そもそも接地端子に接地線が接続されていない場合には，子器から電圧極と接地極のそれぞれに電流を流しても，親器側ではいずれも電流検出手段による電流検出は行えず，利用者にとっては，コンセントに不具合があるのか，チェック装置自体に不具合があるのかがすぐには分からず，原因を把握するためには，コンセントを造営材から取り外して裏面側を確認する必要が生じ，故障点の調査を行うために時間と手間がかかるものであった。
【０００９】
そこで本件の発明は，上述の課題に鑑み，コンセントの接地端子に接地線が接続されているか否かを，日常的に，煩わしいことなく，しかも施工時などにおいて商用電源の必要なく，コンセントにプラグを差込む側から見えやすい位置で確認することができ，接地の系統に不具合が予想される場合，故障点の把握や原因の切り分けを迅速に行うことができる接地極付コンセントを提供することを目的とする。
【課題を解決するための手段】
【００１０】
上述の目的を達成するために，本発明の請求項１では，造営材に固定され，差込プラグを接続する接地極付のコンセントであって，コンセントの筐体内部には，前記接地極を構成する接地線を接続するための接地端子と前記接地端子と電気的に接続される電気機器のアース線を接続するためのアースターミナルと，差込プラグが差込まれるプラグ受とを備えるとともに，前記接地線が接地端子に接続されているか否かを判別し，判別信号を出力する接地線接続状態判別手段と，前記接地線接続状態判別手段と接続されて，出力された判別信号に応じて，識別部の視認状態を変化させる判別状態識別部とを有し，前記判別状態識別部を，造営材に対して，差込みプラグが差込まれる側から識別可能に配置して，判別状態の識別をコンセントに差込みプラグを差込む側の外部から行えるようにしたことを特徴としてコンセントを提供したものである。
【００１１】
このような構成によれば，判別状態識別部を，差込プラグが差込まれる側から識別可能に配置したから，判別状態の識別を差込プラグを差込む側から行え，また，前記判別状態識別部の設置には自由度が得られ，接地線接続状態判別手段の場所に関わらず，視覚的に見やすい位置に，判別状態識別部を設けて，コンセントの接地端子に接地線が接続されているか否かを，日常的に，しかも煩わしいことなく，判別状態の識別をコンセントにプラグを差込む側から確認することができ，接地の系統に不具合が予想される場合には，故障点の把握や原因の切り分けを迅速に行うことができる。
【００１２】
また，請求項２による接地極付きのコンセントは，前記判別状態識別部は，コンセントを造営材に固定するための取付枠に設けて，判別状態の識別を差込みプラグを差込む側から行えるようにしたことを特徴としたものである。
この構成によれば，コンセント自体に判別状態識別部を設けることができない場合でも，コンセント近傍の取付枠に設けることで，視認性よく判別の識別を行うことができる。
【００１３】
また，請求項３による接地極付きのコンセントは，前記判別態識別部は，コンセントを造営材に固定するときに設けられる埋込孔の周囲を囲むように前記取付枠に固定されるプレート枠に設けて，判別状態の識別を差込みプラグを差込む側から行えるようにしたことを特徴として接地極付きコンセントを提供したものである。
この構成によれば，コンセント自体に判別状態識別部を設けることができない場合でも，コンセント近傍のプレート枠に設けることで，視認性よく判別の識別を行うことができる。
【００１４】
また，請求項４による接地極付きのコンセントは，前記判別状態識別部は，前記プレート枠に対して造営材と反対側に前記プレート枠に取付られる化粧パネルに設けて，判別状態の識別を差込みプラグを差込む側から行えるようにしたことを特徴としたものである。
この構成によれば，コンセント自体に判別状態識別部を設けることができない場合でも，コンセント近傍の化粧枠に設けることで，視認性よく判別の識別を行うことができる。
【００１５】
また，請求項５による接地極付きのコンセントは，造営材に対して，コンセントの差込プラグを差込む面を前面，接地線を接続する面を背面としたとき，前記取付枠，プレート枠，化粧パネルにおける前記判別状態識別部の前方部分に孔部もしくは透光部を設けて，前記判別状態識別部が差込みプラグを差込む側の外部から視認可能なように構成したことを特徴としたものである。
この構成によれば，コンセント自体に判別状態識別部を設けることができない場合でも，コンセント近傍の枠部で視認性よく判別の識別を行うことができる。
【００１６】
また，請求項６による接地極付のコンセントは，前記接地線接続状態判別手段と判別状態識別部とに，それぞれ無線通信手段を設けて，前記接地線接続状態判別手段と判別状態識別部との間の通信は無線にて行われ，前記判別状態識別部が差込みプラグを差込む側の外部から視認可能なように構成したことを特徴としたものである。
この構成によれば，接地線接続状態判別手段と判別状態識別部との間を有線で接続することなく構成することができ，判別状態識別部の設置の自由度がより増して，コンセント近傍において視認性よく判別の識別を行うことができる。
【発明の効果】
【００１７】
本発明によれば，コンセントの接地端子に接地線が接続されているか否かを，日常的に，しかも煩わしいことなく，コンセントにプラグを差込む側から見えやすい位置で確認することができ，接地の系統に不具合が予想される場合，故障点の把握や原因の切り分けを迅速に行うことができる接地極付コンセントを提供することができる。また，接地線接続状態判別手段は，接地線をコンセントに接続する際の挿入力をトリガとして駆動させるため，施工時や使用開始後における判別状態の識別にあたっては，商用電源を必要とせず，エネルギー消費が低い接地線接続状態判別手段を備えたコンセントを構成することができる。
【図面の簡単な説明】
【００１８】
【図１】第一の実施形態における接地極付コンセントならびに差込みプラグの外観図を示す。
【図２】第一の実施形態における接地極付コンセントの造営材への取り付け図ならびに概略構成図を示す。
【図３】接地線接続状態判別手段のブロック構成図を示す。
【図４】枠体部における蓄電部の概略図を示す。
【図５】他の例の電線挿入前の接地線接続状態判別手段の要部外観図を示す。
【図６】他の例の電線挿入時の接地線接続状態判別手段の要部外観図を示す。
【図７】他の例の電線挿入前の接地線接続状態判別手段の要部外観図を示す。
【図８】他の例の電線挿入時の接地線接続状態判別手段の要部外観図を示す。
【図９】従来例を示す図。
【図１０】従来例を示す図。
【発明を実施するための形態】
【００１９】
以下，図面を参照して本発明の実施形態を説明する。尚，以下に説明する各実施形態では，コンセントにおける差込プラグを差込める数が２つのものを例示しているが，１つのみのものや３つ以上のものなど種々のものに適用してもよい。
【００２０】
（実施形態１）
本実施形態の接地極付コンセント１は，図１に示したような，壁面等を構成する造営材４０に埋め込み取り付けされて，差込プラグ２を差込むことにより使用されるコンセントである。前記コンセント１は，造営材４０の内側にて予め施工された電気配線と接続され，外側から差込みプラグ２を差込んで使用する。
【００２１】
また，図２に示したように，コンセント１は，造営材４０に予め設けられた埋込孔にコンセントを埋込取付けするための取付枠と，前記埋込孔の周囲を囲む形で前記取付枠に固定されるプレート枠２０と，前記プレート枠２０に，造営材４０に対してプラグが差込まれる側に取り付けられる化粧枠３０とを備えている。
【００２２】
コンセント１の外郭は，一般的なコンセントと互換性を保つように構成しており，コンセントにおける造営材の内側となる面には，電圧相，中性相，接地相の電線を接続する接続端子ならびに電線挿入孔を備え，造営材の外側となる面には，前記電圧相，中性相，接地相の各相に電気的に接続され，接地極付のプラグが差込まれるプラグ刃受ならびにプラグ刃の挿入孔とを備えている。そして，造営材の外側となる面には，前記接地相の電線（接地線）が接地端子に接続されているか否かの判別状態を識別し得る判別状態確認窓１００が外部から視認可能に設けられている。ここで，コンセントにおける造営材の内側となる面に設けられて接地相の電線を接続する接続端子が接地端子１０１であり，コンセントにおける造営材の外側となる面に設けられて前記接地端子１０１と電気的に接続される電気機器のアース線を接続するための接続端子がアースターミナル１０２である。アースターミナルは，プラグの接地極を差込接続できるようプラグ刃受により構成される。また，プラグの接地極が電線で構成されている場合には，接地極の電線を接続できるようアースターミナルをねじ式端子により構成してもよい。
【００２３】
コンセントにおける造営材の内側となる面に備えられる接続端子については，その接続部については配線器具では一般的に用いられている速結式端子により構成している。前記速結式端子は，接続される電線に接触して導通を得る端子板と，端子板に電線を押し付ける鎖錠ばねと，前記鎖状ばねの周囲に配設された導体を備えている。電線との接続は，コンセントの器体に設けられた電線挿入孔に電線を差込むことにより行われ，電線は電線挿入孔の内部に配設されてある鎖状ばねと端子板との間に入り込み，鎖状ばねの弾性により端子板に電線が押し付けられて，導通状態となる。接地端子１０１の接続部についても同様である。
【００２４】
次に，接地線接続状態判別手段と判別状態識別部について説明を行う。
【００２５】
本実施形態においては，図３に示したように，前述の接続端子のうち，接地端子近傍に，接地線を接地端子に接続する場合に前記接地線の変位を受けて電気的に駆動する接地線接続状態判別手段３００を設けている。
【００２６】
そして，接地線接続状態判別手段３００と無線通信を行うことにより，前記接地線接続状態判別手段３００からの出力信号を受けて，判別の状態が外部から識別可能に変化する判別状態識別部４００を，コンセントにおける差込プラグの差込み面，もしくは，コンセントを取り付ける取付枠，プレート枠，化粧枠の前面方向から視認可能に備えている。
【００２７】
接地線接続状態判別手段３００は，接地線を電線挿入孔に挿入／引抜するときに駆動されるスイッチ３０２と，前記スイッチ３０２の出力を受けて駆動するワンショット回路３０４と，前記ワンショット回路の出力を無線送信する無線送信手段３０６と，ワンショット回路，無線送信部に電源を供給する電源３０３とを備えている。また，ワンショット回路，無線送信部への電源供給を時間的に制御するタイマー回路３０５を備えている。
【００２８】
スイッチ３０２は，接地線を電線挿入孔に挿入したときと挿入していないときとの二つの状態を検出できるよう，２つの接点系統を設けて構成したものであり，接地線の挿入力を受けて第一の接点が閉路するとともに，接地線を接続していないときは一定の方向に付勢されて第二の接点が閉路するもので，前述の実施形態１のように，接地線の挿入時に当接して回転するレバーの変位を受けて接点の開閉を行うマイクロスイッチや，接地線の挿入時に押圧されて変位し接点の開閉を行うマイクロスイッチを用いて構成するとよい。
【００２９】
接地線の変位を検知するための構造としては，接地線挿入時に接地線がスイッチ部に設けたレバーに当接して接点を開／閉するメカニカルな構造としてもよいし，磁石などを用いた近接センサや，照度の変化などを検出する光電センサなどのセンサを用いて構成してもよい。
【００３０】
ワンショット回路３０４は，前記スイッチ３０２の出力を受けて，所定時間ＯＮとなる矩形波信号を出力するものである。前記ワンショット回路は，フリップフロップ回路を用いて構成してもよいし，ワンショット機能を持つマイコンにより構成してもよく，種々の回路を用いて構成するとよい。
【００３１】
無線信号送信部３０６は，ワンショット回路３０４からの出力を周囲に無線送信するものであり，前記スイッチ３０２の駆動により電源が供給されることにより駆動を開始し，前記タイマーによる電源制御により駆動を停止する。無線信号は，コンセントのごく近傍に伝送できればよいので，出力は小さくてよく，このため消費電力を抑えることができる。また，無線方式としては，低消費電力である無線方式を適宜選択するとよい。
【００３２】
電源３０３には，電池を用いている。コンセントは一般的に長期間使用が行われるため，電池には一次電池のほか，二次電池を用いてもよい。また，蓄電のために，コンデンサや静電容量が大きな電気二重層を用いて構成してもよい。なお，二次電池を用いる場合には，コンセントに接続される電圧相と中性相に接続して充電を行う充電回路を設けて，施工後に商用電源がコンセントに供給される場合に，前記二次電池に充電を行う構成としてもよい。なお，電池３０３は，出荷時には予め蓄電された状態で出荷することにより，配線工事の際に判別状態識別部が適切に表示される。
【００３３】
タイマー回路３０５は，前記ワンショット回路３０４への電源供給時間を，電源の供給開始から一定時間後に制御するものである。タイマー回路としては，カウンター回路を用いて構成したタイマーでもよいし，コンデンサと抵抗を用いて構成した所定の放電時間を有する放電回路をタイマーとして用いたものでもよい。
【００３４】
判別状態識別部４００は，前記ワンショット回路３０４からの出力を無線で受けて，コンセントにおけるプラグの差込み側の外部から視認可能な表示部の状態が変化するものである。
【００３５】
判別状態識別部４００を，コンセントの筐体外の取付枠，プレート枠，化粧枠に設けた場合には，図４に示したように，これらの枠体の周囲に造営材側に蓄電部３０３１を配置し，前記蓄電部３０３１から接続部４０３を介して電源を供給される無線通信部４０２と前記無線通信部４０２により受信した信号に基づいて駆動される判別状態識別部４００を，コンセント１の差込プラグを差込む側から視認可能なように，これらの枠体における判別状態識別部４００の前方部分に孔部を設けて構成する。また，孔部に替えて透光部を設けて構成してもよい。図１の３１，また，図２の２１，３２が，前記孔部もしくは前記透光部である。
【００３６】
判別状態識別部の表示の状態は自己保持を行うものであり，ワンショット回路からの出力が行われない無電力の場合でも，そのときの状態を保持する。
【００３７】
このようなものとして，例えば，永久磁石と，ワンショット回路からの出力信号を受けて駆動する電磁石とを組み合わせた自己保持型の表示部を構成するとよい。前記表示部は，略コの字形に形成されたヨークの両端間に永久磁石を設けた判別部を回動自在に軸支することにより構成している。
【００３８】
ヨークに巻回されたコイルに流す電流の方向を違えることにより，前記ヨークの両端間に生ずる磁極の極性が変化し，永久磁石とヨークとの磁極間で反発動作／吸引動作を利用して，前記判別部を一の状態から他の状態に回転させることで表示部の表示状態を変化させるものである。判別状態確認窓１００から表示状態の変化が視認できるよう，判別部は色分けされて構成する。
【００３９】
これにより，接地線３を電線挿入孔１０３に挿入していくと，電線によりスイッチ３０２が駆動されて，ワンショット回路３０４および無線信号送信部３０６に電源３０３が供給される。このときワンショット回路３０４は，所定の時間だけ出力信号を出力し，前記出力信号は無線信号送信部により周囲に伝送される。
【００４０】
そして，前記出力信号を受けた無線通信部４０２は，受信した信号を判別状態識別部４００に伝達し，判別状態確認窓に臨む前記判別部の状態が変化することにより，差込プラグを差込む側からから接地線が接地端子に接続されていることが識別できる。ワンショット回路３０４および無線信号送信部３０６への電源供給は，タイマー回路３０５により一定時間後に停止されるため，電源の消耗は極力抑えられる。
【００４１】
また，接地線を引抜くときにも，スイッチ３０２が駆動されて，ワンショット回路３０４および無線信号送信部３０６に電源が供給され，出力信号を出力する。出力信号を受信した無線通信部４０２は，判別状態識別部４００に受信した信号を伝達し，判別状態確認窓に臨む前記判別部の状態が変化することにより，差込プラグを差込む側からから接地線が接地端子に接続されていなことを識別できる。なお，ワンショット回路から判別状態識別部４００に出力する出力信号の極性を，接地線を挿入するときと，引抜くときとで，変化させるように構成しておく。
【００４２】
なお，図１，図２に示した判別状態確認窓や透光部は，図示した位置に限らず，枠部の左右上下，前面から側面にかけてなど，種々の配置としてもよい。
【００４３】
このように構成した判別状態識別部４００の判別部を，造営材４０に設けられる埋込孔にコンセントを埋込取付けするための取付枠や，埋込孔の周囲を囲む形で前記取付枠に固定されるプレート枠，造営材４０に対してプラグが差込まれる側に取り付けられる化粧枠３０，に設けて構成することにより，前記判別部を取り付ける場所に自由度が得られ，電線挿入孔の延長線上のみならず，視覚的に見やすい位置に判別状態識別部を設けることができる。
【００４４】
なお，蓄電部の充電については，接触型，非接触型のいずれでもよい。
【００４５】
接触型の場合は，充電回路とコンセントの筐体内部における電圧極及び中性極とを物理的に接続し，充電回路から蓄電部に給電を行う。電圧極及び中性極から充電回路，または電圧極及び中性極から蓄電部までの配線接続は，コンセント筐体と取付枠，取付枠とプレート枠，プレート枠と化粧枠との取付部や嵌合部を介して行うとよい。プレート枠，化粧枠は樹脂製であるから，樹脂の内部に配線パターンを形成し，プレート枠と化粧枠との取付部や嵌合部に接点部を設けて電路を形成するとよい。なお，取付枠は一般的に金属製であることが多いため，取付枠上においては配線に被覆を設けて絶縁を確保するとよい。
【００４６】
また，非接触型の場合は，電力の伝送を電磁誘導を用いて行えるよう，コンセントの筐体内部および枠体部同心円状にコイルを配設して構成する。このほか，電波受信，磁気共鳴などにより電力の伝送を行えるよう構成するとよい。
【００４７】
これにより，コンセントの配線を施工後に，商用電源が給電された場合には，充電回路により蓄電部に充電が開始され，ワンショット回路３０４や無線信号送信部３０６，また，無線通信部４０２に必要な電源の確保を行うことができる。
【００４８】
また，次のように，接地線の挿入力を受けて駆動するメカニカルな判別状態識別部を組み合わせて構成してもよい。
【００４９】
図５乃至図８には，接地線を電線挿入孔に挿入するときの挿入力を用いて駆動し，接地線を接続した場合としない場合とで，前記判別状態識別部の外部からの視認状態が変化し，接地端子に接地線が接続されている限りは，外部から常に，前記判別状態識別部を視認することができる接地線接続状態判別手段の例を示した。
【００５０】
まず，図５および図６の接地線接続状態判別手段２００ａは，前記接地線の挿入力を受けて回転することにより，判別状態識別部２０１ａが外部から視認可能になるものである。前記接地線接続状態判別手段２００ａは，コンセント１の内部に回動自在に設けられ，一端には電線の挿入通路１０４に露出して電線の導体部に当接することにより回動力を得る当接部２０２ａを備え，他端には電線が前記当接部２０２ａに当接することにより回転して，判別状態確認窓１００から視認可能な判別状態識別部２０１ａを備えて構成された接地線接続状態判別手段２００ａを示している。
【００５１】
前記当接部２０２ａには，前記電線が当接したときに電線挿入の動きを妨げず，なおかつ，挿入方向の力を受けて回転方向に分力が得られるように，挿入方向に対して傾斜させた面を設けている。
【００５２】
これにより，接地線３を電線挿入孔１０３に挿入すると，電線の導体部は挿入通路１０４をとおり，当接部２０２ａに当接し，接地線接続状態判別手段２００ａが図中右回りに回転し，判別状態識別部２０１ａが判別状態確認窓１００から視認可能に変位し，コンセント１のプラグを差込む側から，接地線が接地端子に接続されていることが分かる。接地線３を引き抜いた場合には，前記接地線接続状態判別手段２００ａは図中左回りに回転し，判別状態識別部２０１ａが判別状態確認窓１００から視認不可能に変位し，引き抜いたことがコンセント１のプラグを差込む側から分かる。
【００５３】
次に，図７および図８の接地線接続状態判別手段２００ｂは，前記接地線の挿入力を受けて挿入方向に押圧されることにより，判別状態識別部２０１ｂが外部から視認可能になるものである。前記接地線接続状態判別手段２００ｂは，細長棒状に形成され，電線の挿入通路１０４，前記挿入通路１０４に連通する空洞部２０４ｂ，前記空洞部２０４ｂに連通するガイド部２０５ｂ内に，接地線と軸が略同じくなるよう配置される。
【００５４】
前記接地線接続状態判別手段２００ｂは，一端には，接地線の導体と正対して当接する当接部２０２ｂを備え，略中央部には，前記接地線の挿入方向とは逆の方向に判別状態識別部２０１ｂを付勢させる弾性体２０３ｂと，前記弾性体の力を受け止めるとともに，前記空洞部内壁に当接して接地線接続状態判別手段２００ｂの位置を規制するストッパ２０６ｂを有して設けられる。また，判別状態識別部２０１ｂの周辺は，ガイド部２０５ｂに沿って撓み性を有するよう弾性部材で形成される。
【００５５】
これにより，接地線３を電線挿入孔１０３に挿入していくと，電線の導体部は，挿入通路１０４に正対した当接部２０２ｂに当接し，弾性体の力に抗して接地線接続状態判別手段２００ｂを押圧していき判別状態識別部２０１ｂが判別状態確認窓１００から視認可能に変位し，コンセント１の外部から，接地線が接地端子に接続されていることが分かる。接地線３を引き抜いた場合には，前記接地線接続状態判別手段２００ｂは弾性体の押圧力により電線挿入孔入り口の方向に変位し，併せて，判別状態識別部２０１ｂが判別状態確認窓１００から視認不可能に変位し，引き抜いたことがコンセント１のプラグを差込む側から分かる。
【００５６】
このように，接地線が接地端子に接続されているか否かの判別状態が，コンセントの筐体におけるプラグを差込む側から行うことができるように判別状態識別部を設けて，しかも，接地線接続状態判別手段は，接地線をコンセントに接続する際の挿入力をトリガとして駆動させるため，施工時や使用開始後における判別状態の識別にあたっては，商用電源を必要とせず，エネルギー消費を低く接地線接続状態判別手段を備えたコンセントを構成でき，なおかつ，コンセントの接地端子に接地線が接続されているか否かを，日常的に，しかも煩わしいことなく，コンセントにプラグを差込む側から確認することができ，接地の系統に不具合が予想される場合，故障点の把握や原因の切り分けを迅速に行うことができる接地極付コンセントを提供することができる。
【産業上の利用可能性】
【００５７】
本件の発明は，住宅用や産業用に一般的に用いられる接地極付コンセントに広く適用できる可能性がある。
【符号の説明】
【００５８】
１  コンセント
２  差込プラグ
３  接地線
２０  プレート枠
２１  判別状態確認窓
３０  化粧枠
４０  造営材
３１  判別状態確認窓
３２  判別状態確認窓
１００  判別状態確認窓
１０１  接地端子
１０２  アースターミナル
１０３  電線挿入孔
１０４  挿入通路
２００  接地線接続状態判別手段
２０１  判別状態識別部
２０２  当接部
２０３  弾性体
２０４  空洞部
２０５  ガイド部
２０６  ストッパ
３００  接地線接続状態判別手段
３０２  スイッチ
３０３  電源
３０３１  蓄電部
３０４  ワンショット回路
３０５  タイマー
３０６  無線信号送信部
４００  判別状態識別部
４０２  無線通信部
４０３  接続部
【図１】
2010205568.tif 000003
【図２】
2010205568.tif 000004
【図３】
2010205568.tif 000005
【図４】
2010205568.tif 000006
【図５】
2010205568.tif 000007
【図６】
2010205568.tif 000008
【図７】
2010205568.tif 000009
【図８】
2010205568.tif 000010
【図９】
2010205568.tif 000011
【図１０】
2010205568.tif 000012